(57)【要約】【課題】カバーの取り付け状態を安定化する。【解決手段】本開示のカバー３０は、端子１０に取り付けられるカバー３０であって、端子１０に設けられた差込片１４が内部に差し込まれる被差込部３６と、差込片１４に設けられた係止孔１４Ａに入り込んで係止孔１４Ａの内壁に係止する係止突部５２と、被差込部３６の内部に設けられ、差込片１４を板厚方向から挟む挟持部と、を備える。【選択図】図６
2020177754.tif 000002
【特許請求の範囲】
【請求項１】
端子に取り付けられるカバーであって、
前記端子に設けられた差込片が内部に差し込まれる被差込部と、
前記差込片に設けられた係止孔に入り込んで前記係止孔の内壁に係止する係止突部と、
前記被差込部の内部に設けられ、前記差込片を板厚方向から挟む挟持部と、を備えるカバー。
【請求項２】
前記挟持部は、周壁から前記差込片に向けて突出して設けられたリブとされ、前記リブが前記差込片に接触する、請求項１に記載のカバー。
【請求項３】
前記リブは、前記差込片の両面のうち前記係止突部側に位置する第１面に接触している第１リブと、前記第１面とは反対側に位置する第２面に接触している第２リブと、を備える、請求項２に記載のカバー。
【発明の詳細な説明】
【技術分野】
【０００１】
本開示は、カバーに関する。
【背景技術】
【０００２】
特許文献１には、端子にカバーが取り付けられるカバー付き端子が記載されている。端子は、一対の被係止壁を備えている。一方、カバーは、一対の被係止壁に下方から係止することでカバーを端子に固定する一対の係止片を備えている。一対の係止片が左右両側から端子を挟むため、カバーの取り付け状態は安定している。
【先行技術文献】
【特許文献】
【０００３】
【特許文献１】特開２０１５−２１３１号公報
【発明の概要】
【発明が解決しようとする課題】
【０００４】
しかしながら、上記のカバーは端子に対して２箇所で係止しているため、構造が複雑である。また、カバーが端子に対して１箇所のみで係止する構成とした場合、一対の係止片が左右両側から端子を挟むことができないため、カバーの取り付け状態が不安定になる。
【課題を解決するための手段】
【０００５】
本開示のカバーは、端子に取り付けられるカバーであって、前記端子に設けられた差込片が内部に差し込まれる被差込部と、前記差込片に設けられた係止孔に入り込んで前記係止孔の内壁に係止する係止突部と、前記被差込部の内部に設けられ、前記差込片を板厚方向から挟む挟持部と、を備える。
【発明の効果】
【０００６】
本開示によれば、カバーの取り付け状態を安定化できる。
【図面の簡単な説明】
【０００７】
【図１】図１は、本実施形態におけるカバーの前方斜視図であって、カバーが端子に取り付けられる前の状態を説明する図である。
【図２】図２は、カバーの後方斜視図であって、カバーが端子に取り付けられる前の状態を説明する図である。
【図３】図３は、カバー付き端子の前方斜視図である。
【図４】図４は、カバー付き端子の後方斜視図である。
【図５】図５は、カバー付き端子の正面図である。
【図６】図６は、図５におけるＡ−Ａ断面図である。
【図７】図７は、図５におけるＢ−Ｂ断面図である。
【図８】図８は、底面から見たカバーの斜視図である。
【図９】図９は、端子の側壁部に絶縁テープが巻かれた状態を説明する断面図である。
【発明を実施するための形態】
【０００８】
［本開示の実施形態の説明］
最初に本開示の実施態様を列記して説明する。
本開示のカバーは、
（１）端子に取り付けられるカバーであって、前記端子に設けられた差込片が内部に差し込まれる被差込部と、前記差込片に設けられた係止孔に入り込んで前記係止孔の内壁に係止する係止突部と、前記被差込部の内部に設けられ、前記差込片を板厚方向から挟む挟持部と、を備える。
差込片が挟持部によって板厚方向から挟まれているから、カバーの取り付け状態を安定化できる。
【０００９】
（２）前記挟持部は、周壁から前記差込片に向けて突出して設けられたリブとされ、前記リブが前記差込片に接触することが好ましい。
リブが差込片に接触するため、差込片との接触面積が最小限に抑えられ、差込片を被差込部に差し込むのに必要な挿入力が小さくて済む。
【００１０】
（３）前記リブは、前記差込片の両面のうち前記係止突部側に位置する第１面に接触している第１リブと、前記第１面とは反対側に位置する第２面に接触している第２リブと、を備えることが好ましい。
差込片が第１リブと第２リブによって板厚方向から挟まれているため、カバーの取り付け状態を安定化できる。
【００１１】
［本開示の実施形態の詳細］
本開示のカバー３０の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１２】
図１から図５に示すように、本開示のカバー付き端子１００は、端子１０と、カバー３０と、を備えて構成されている。カバー３０は、端子１０に取り付けられる。以降の説明では、図１におけるカバー３０の着脱方向を上下方向とし、カバー３０から端子１０に向かう方向（すなわち、カバー３０の取り付け方向）を下方向とする。また、図１における矢線Ｄが示す方向を前後方向（差込片１４の板厚方向）における前方とする。また、上下方向および前後方向の双方に直交する方向を左右方向とし、図１における差込片１４から側壁部１６に向かう方向を右方向とする。
【００１３】
［端子１０］
図１、図２に示すように、端子１０は、接続部１２と、差込片１４と、側壁部１６と、を備えて構成されている。接続部１２は板状をなしている。接続部１２における面の中央には、締結孔１２Ａが開口している。接続部１２は、図示しない相手側部材の被接続部にボルト締結されることにより接続される。
【００１４】
図１に示すように、差込片１４は、接続部１２における外縁１２Ｂから上方に起立して設けられている。ここで、接続部１２の外縁１２Ｂとは、接続部１２の外周縁１２Ｃのうち左右方向に延びる側縁のことである。外縁１２Ｂは、展開状態の端子１０を折り曲げることによって形成されているため、直線状をなしている。差込片１４には、係止孔１４Ａが開口して設けられている。
【００１５】
図１に示すように、側壁部１６は、差込片１４の上方に延びる側縁１４Ｂから右方に延出されている。差込片１４における面と側壁部１６における面とは同一平面を構成している。差込片１４における両面のうち、後側の面は第１面１４Ｃとされ、前側の面（第１面１４Ｃと反対側に位置する面）は、第２面１４Ｄとされる。
【００１６】
図１に示すように、側壁部１６は、圧着部１８と、つなぎ部２０と、を備えて構成されている。つなぎ部２０は、圧着部１８および差込片１４の双方に連なっている。これにより、つなぎ部２０は圧着部１８と差込片１４とをつないでいる。圧着部１８は、一対のインシュレーションバレル部１８Ａと、一対のワイヤバレル部１８Ｂと、を備えて構成されている。
【００１７】
［カバー３０］
図２に示すように、カバー３０は、周壁３２と、被差込部３６と、ロックアーム３８と、を備えて構成されている。周壁３２は、一対の側壁４０と、湾曲壁４２と、後壁４４と、天井壁４６と、を備えて構成されている。
【００１８】
天井壁４６は、端子１０の接続部１２および差込片１４を上方から覆っている。天井壁４６は、湾曲壁４２、後壁４４、および一対の側壁４０の上端縁と連なっている。図６に示すように、一対の側壁４０は平板状をなしており、左右方向に間隔を空けて配されている。湾曲壁４２は、接続部１２の外周縁１２Ｃを側方（前方および左右方向）から覆うように湾曲している。湾曲壁４２の左右両側部は、一対の側壁４０と連なっている。湾曲壁４２の左右両側の先端部は、一対の側壁４０の内側に入り込んでいる。後壁４４の左右両端部は、一対の側壁４０の後端縁と連なっている。
【００１９】
図６、図７に示すように、被差込部３６は、湾曲壁４２と後壁４４との間に設けられている。被差込部３６の内部には、端子１０の差込片１４が差し込まれる。
【００２０】
図１、図２に示すように、一対の側壁４０のうち、右側の側壁４０には、突出壁４８が設けられている。突出壁４８は、右側の側壁４０から右方に突出している。図３、図４に示すように、突出壁４８は、つなぎ部２０を上方から覆っている。
【００２１】
図２に示すように、後壁４４には切り欠き部５０が設けられている。切り欠き部５０は、方形状に切り欠かれた形状をなしている。
【００２２】
図７、図８に示すように、ロックアーム３８は、切り欠き部５０の上端縁から下方に片持ち状に突出して設けられている。ロックアーム３８は、後方に撓み可能とされている。ロックアーム３８の先端部には、前方に突出する係止突部５２が設けられている。
【００２３】
カバー３０が端子１０に取り付けられる際は、ロックアーム３８の係止突部５２は、差込片１４の第１面１４Ｃと摺動しつつ、ロックアーム３８は後方に撓む。係止突部５２が係止孔１４Ａの位置に到達すると、ロックアーム３８の撓みは復元し、図７に示すように、係止突部５２は係止孔１４Ａに入り込む。これにより、係止突部５２は係止孔１４Ａの内壁に係止され、カバー３０が端子１０から外れることが抑制される。
【００２４】
図６に示すように、被差込部３６の内部には、複数のリブ（挟持部）が設けられている。複数のリブは、一対の第１リブ５６と、一対の第２リブ５８と、を備えて構成されている。図７、図８に示すように、第１リブ５６および第２リブ５８は、上下方向に長い形状をなしている。
【００２５】
図８に示すように、一対の第１リブ５６は、後壁４４における前面にそれぞれ設けられている。一対の第１リブ５６は、切り欠き部５０を挟んで左右両側に配されている。図６に示すように、第１リブ５６は、第１面１４Ｃに向けて突出し、第１面１４Ｃに接触している。
【００２６】
図８に示すように、一対の第２リブ５８は、湾曲壁４２の左右両側の先端部にそれぞれ設けられている。図６に示すように、第２リブ５８は、第２面１４Ｄに向けて突出し、第２面１４Ｄに接触している。
【００２７】
図６に示すように、差込片１４は、第１リブ５６および第２リブ５８によって板厚方向から挟まれている。これにより、本実施形態のように１つの係止突部５２によって１か所のみで端子１０に係止される構成であっても、カバー３０の取り付け状態を安定化できる。カバー３０の取り付け状態が安定することにより、カバー３０のガタつきによりカバー３０が周辺部品へ接触することを抑制できる。また、カバー３０のガタつきによる異音を抑制できる。また、カバー３０の取り付け状態を安定化しつつ、カバー３０を１部材によって構成できる。例えば、カバーは、第１カバーと第２カバーとを備えて構成されており、端子を挟みこむように第１カバーおよび第２カバーが端子に取り付けられる構成と比較して、構成部品を削減できる。これにより、カバー付き端子１００のコスト削減に寄与できる。また、カバー３０の端子１０への取り付けが容易なものとなり、カバー３０の端子１０への取り付け精度を向上できる。また、カバー３０の容易な取り付けが可能なことから、組立工程の複雑さを改善できる。
【００２８】
図６に示すように、第１リブ５６の先端部は丸みを帯びている。これにより、第１リブ５６は第１面１４Ｃに線で接触することとなる。また、第２リブ５８の先端部は丸みを帯びている。これにより、第２リブ５８は第２面１４Ｄに線で接触することとなる。したがって、リブと差込片１４との接触面積は最小限に抑えられ、差込片１４を被差込部３６に差し込むのに必要な挿入力を小さく抑えることができる。
【００２９】
［電線２８、絶縁テープ２９］
図９に示すように、端子１０の圧着部１８には電線２８が接続されている。電線２８は、被覆部２８Ａと、芯線露出部２８Ｂと、を備えて構成されている。圧着部１８におけるインシュレーションバレル部１８Ａは、被覆部２８Ａに圧着されている。圧着部１８におけるワイヤバレル部１８Ｂは、芯線露出部２８Ｂに圧着されている。端子１０には、側壁部１６（すなわち、圧着部１８、および、つなぎ部２０）を覆うように絶縁テープ２９が巻かれている。絶縁テープ２９によって、カバー３０の外側に位置する圧着部１８、および、つなぎ部２０は保護されている。絶縁テープ２９の左端部は、カバー３０の突出壁４８内に入り込んでいる。これにより、側壁部１６および芯線露出部２８Ｂが外部に露出することを確実に抑制できる。
【００３０】
＜他の実施形態＞
（１）上記実施形態では、挟持部は第１リブ５６および第２リブ５８によって構成されることとしたが、これに限られることはなく、例えば、挟持部は、一対の圧入壁によって構成されることとしても良い。この場合、端子の差込片は、一対の圧入壁の間に圧入され、一対の圧入壁によって挟持される。
【００３１】
（２）上記実施形態では、周壁３２は、接続部１２の外周縁１２Ｃを側方から覆うように湾曲する湾曲壁４２を備える構成としたが、これに限られることはなく、例えば、接続部が方形状をなす場合、湾曲壁のかわりに、平面板状の前壁を設ける構成としても良い。
【００３２】
（３）上記実施形態では、差込片１４は、接続部１２における外縁１２Ｂから上方に起立して設けられ、側壁部１６は、差込片１４の側縁１４Ｂから右方に延出される構成としたが、これに限られることはなく、例えば、接続部と側壁部とは前後方向に連なって配されており、差込片は、端子の一部を上方に切り起こすことにより形成されても良い。
【符号の説明】
【００３３】
１０：端子
１２：接続部
１２Ａ：締結孔
１２Ｂ：外縁
１２Ｃ：外周縁
１４：差込片
１４Ａ：係止孔
１４Ｂ：側縁
１４Ｃ：第１面
１４Ｄ：第２面
１６：側壁部
１８：圧着部
１８Ａ：インシュレーションバレル部
１８Ｂ：ワイヤバレル部
２０：つなぎ部
２８：電線
２８Ａ：被覆部
２８Ｂ：芯線露出部
２９：絶縁テープ
３０：カバー
３２：周壁
３６：被差込部
３８：ロックアーム
４０：側面壁
４２：湾曲壁
４４：後壁
４６：天井壁
４８：突出壁
５０：切り欠き部
５２：係止突部
５６：第１リブ
５８：第２リブ
１００：カバー付き端子
【図１】
2020177754.tif 000003
【図２】
2020177754.tif 000004
【図３】
2020177754.tif 000005
【図４】
2020177754.tif 000006
【図５】
2020177754.tif 000007
【図６】
2020177754.tif 000008
【図７】
2020177754.tif 000009
【図８】
2020177754.tif 000010
【図９】
2020177754.tif 000011